(57)【要約】      （修正有）【課題】スペーサーを介在させると施工性が悪化したり、下地ボードの様に別途部材を必要としたりすることのないタイルの接着方法の提供。【解決手段】タイル１の上縁部に段差を設けて、表面側に重合空所を設けると共に、裏面側に重合体３を設け、タイル１の下縁部に段差を設けて、表面側に重合体４を設けると共に、裏面側に重合空所を設け、又タイル１の下縁部の重合空所に面する段差面に突起７を下方突設したタイル１を使用して、下段タイル１の上縁部の重合体３の上端面に上段タイル１の下縁部の突起７を接触状態で、壁面15にタイル１を接着する様にしたので、他部材を必要とせずに下段タイル１を目印として壁面15へ上段タイル１を順次接着することによって、上下段タイル１は突起７により一定幅の目地17が形成される。【選択図】図２
2005307499.tif 000002
【特許請求の範囲】
【請求項１】
タイルの上縁部に段差を設けて、表面側に重合空所を設けると共に、裏面側に重合体を
設け、タイルの下縁部に段差を設けて、表面側に重合体を設けると共に、裏面側に重合空
所を設けたタイルであって、タイルの下縁部の重合空所に面する段差面に突起を下方突設
したことを特徴とするタイル。
【請求項２】
タイルの上縁部に段差を設けて、表面側に重合空所を設けると共に、裏面側に重合体を
設け、タイルの下縁部に段差を設けて、表面側に重合体を設けると共に、裏面側に重合空
所を設けたタイルであって、タイルの上縁部の重合体に突起を上方突設したことを特徴と
するタイル。
【請求項３】
突起の中間で表面側に凹溝を設けたことを特徴とする請求項１又は２記載のタイル。
【請求項４】
請求項１、２又は３記載のタイルを壁面に接着したタイル取付構造であって、上下段の
表裏の重合体は表面から見て一部重合状態となり、且つ、下段タイルの上縁部の重合体の
上端面に上段タイルの下縁部の突起を接触させたか、下段タイルの上縁部の突起の上端に
上段タイルの下縁部の段差面を接触させたことを特徴とするタイル取付構造。
【請求項５】
請求項１、２又は３記載のタイルを壁面に接着するタイル取付方法であって、壁面又は
タイル裏面に接着材を塗着し、下段から上段へタイルを壁面に接着する時に、下段タイル
の上縁部の重合体の上端面に上段タイルの下縁部の突起を接触状態で、又は、下段タイル
の上縁部の突起の上端に上段タイルの下縁部の段差面を接触状態で、壁面にタイルを接着
する様にしたことを特徴とするタイル取付方法。
【発明の詳細な説明】
【技術分野】
【０００１】
本発明は、タイルを壁面に接着施工するタイル、タイル取付構造及びタイル取付方法に
関する。
【背景技術】
【０００２】
従来、壁面にタイルを接着施工する方法としては、躯体にモルタル又は接着剤でタイル
を接着する方法がとられているが、目地幅を一定として仕上がり面の美感を向上させる為
に、隣接するタイル同士の間にスペーサーを介在させる方法がとられており、作業能率が
低い施工性の課題を有していた。
【０００３】
又、タイル接着方法として壁面に下地ボードを設け、該下地ボード表面に設けた係止凸
部にタイル裏面に設けた係止溝を係止させる方法もあるが、下地ボードを介在させる場合
には、当然のことながら下地ボードを必要としたり、下地ボードの固定作業や下地ボード
とタイルの係止作業が必要な施工性の課題を有していた（例えば、特許文献１参照）。
【特許文献１】特開平５−３２１４３５号公報
【発明の開示】
【発明が解決しようとする課題】
【０００４】
解決しようとする問題点は、目地幅を一定として良好な仕上がりを得る簡易な施工方法
が要望されている点である。
【課題を解決するための手段】
【０００５】
本発明は、上記従来技術に基づく、スペーサーを介在させると施工性が悪化する課題や
、下地ボードの様に別途部材を必要とする課題に鑑み、タイルの上縁部に段差を設けて、
表面側に重合空所を設けると共に、裏面側に重合体を設け、タイルの下縁部に段差を設け
て、表面側に重合体を設けると共に、裏面側に重合空所を設け、又タイルの下縁部の重合
空所に面する段差面に突起を下方突設したタイルを使用して、下段タイルの上縁部の重合
体の上端面に上段タイルの下縁部の突起を接触状態で、壁面にタイルを接着することによ
って、他部材を必要とせずに下段タイルを目印として壁面へ上段タイルを順次接着して、
上下段タイルは突起により一定な目地幅が形成される様にして、上記課題を解決する。
【発明の効果】
【０００６】
要するに本発明は、タイルの上縁部に段差を設けて、表面側に重合空所を設けると共に
、裏面側に重合体を設け、タイルの下縁部に段差を設けて、表面側に重合体を設けると共
に、裏面側に重合空所を設けたので、上下段タイルの表裏上下縁部で重合空所に重合体が
夫々位置して、上下縁部がラップ状態のタイル壁面とすることが出来、又タイルの下縁部
の重合空所に面する段差面に突起を下方突設したので、突起で目地幅を一定として美感の
良い壁面とすることが出来る。
【０００７】
壁面又はタイル裏面に接着材（接着剤又は接着モルタル）を塗着し、下段から上段へタ
イルを壁面に接着する様にしたので、壁面全面にタイルを容易に接着することが出来、又
下段タイルの上縁部の重合体の上端面に上段タイルの下縁部の突起を接触状態で、壁面に
タイルを接着する様にしたので、下段タイルを目印とすることにより、他の別途部材を必
要とせず、壁面に上段タイルを極めて容易に圧着接着することが出来る。
【０００８】
下段タイルの上縁部の重合体の上端面に、上段タイルの突起を接触させた取付構造とし
たので、施工後に躯体の層間変位があっても、突起破壊でタイル剥離を防止することが出
来る。
【０００９】
タイルの上縁部の重合体に突起を上方突設し、下段タイルの突起の上端に上段タイルの
段差面を接触する様にしたので、製造方法、施工状況等に応じて上縁部または下縁部に突
起を形成することにより、製造工程等を向上することが出来る。
【００１０】
突起の中間で表面側に凹溝を設けたので、細幅部で強度が低下することにより、施工後
に躯体に層間変位があっても、細幅部で容易に破断して接着タイルの剥離を防止すること
が出来る等その実用的効果甚だ大である。
【発明を実施するための最良の形態】
【００１１】
以下、本発明の一実施形態を図面に基づいて説明する。
図１、３に示す様に、本発明のタイル１は、上縁部で表裏方向に段差を設けて、表面側
に重合空所２を設けると共に裏面側に重合体３を設けており、他方、タイル１の下縁部で
表裏方向に段差を設けて、表面側に重合体４を設けると共に裏面側に重合空所５を設けて
いる。
【００１２】
そして、タイル１の下縁部において、図３に示す様に、裏面側の重合空所５に面する段
差面６に細幅の突起７を下方突設している。
尚、突起７は細幅で低強度のもので、施工時、施工後も通常は破壊されないが、躯体に
異常な外力が作用した時などの非常時には破壊される程度の強度を有し、又突起７の下端
は重合体４の下端面８より間隔Ｔ１だけ控えた位置（若干高い位置）と成しており、言い
換えると、段差面６と下端面８の高低差より間隔Ｔ１だけ少量分で突起７を下方突設して
いる。
又、図４に示す様に、突起７の中間で表面側に凹溝９を設けて、上下方向の中間部を弱
強度の細幅部と成している。
【００１３】
又、上縁部において、重合体３の上端面10と段差面11を繋ぐ表面は傾斜表面12と成すと
共に、下縁部において、重合体４の下端面８と段差面６を繋ぐ裏面を傾斜裏面13と成して
いる。
尚、図示したタイル１では、長手方向で全長にわたって突起７を形成しているが、両側
等で少なくとも２個所に突起７を設ける様にしても良く、又タイル１の裏面に凹凸14を設
けているが、接着剤によっては微少凹凸としたり、平面状としても良く、或いは、接着モ
ルタル用に凹溝を複数形成しても良い。
【００１４】
次に本発明に係るタイル取付構造について説明する。
図２、３に示す様に、本発明のタイル１は躯体の壁面15に接着材16（接着剤又は接着モ
ルタル）で接着され、所謂、圧着積み上げ工法で取付けられ、下段タイル１の表面側の重
合空所２に上段タイル１の表面側の重合体４の一部が配置されると共に、上段タイル１の
裏面側の重合空所５に下段タイル１の裏面側の重合体３の一部が配置され、上下のタイル
１の上下端縁の一部が重合状態となる。
更に、詳しくは、下段タイル１の上縁部の重合体３の上端面10に上段タイル１の重合空
所５に設けた突起７の下端を接触させており、表面側からみて上段タイル１の重合体４に
下段タイル１の重合体３の先端部分がオーバーラップ状態で間隔Ｔ１の重合状態となり、
下段タイル１の上縁部の段差面11と上段タイル１の下縁部の重合体４の下端面８の間隔Ｔ
２が目地17となっている。
【００１５】
次に本発明に係るタイルの取付方法について説明する。
図２に示す様に、施工に際しては下段のタイル１から上方に積み上げるものであり、壁
面15の表面又はタイル１の裏面に接着材16（接着剤又は接着モルタル）を塗着し、下段か
ら上段にかけてタイル１を壁面15に順次圧着させて接着する。
接着時には、下段タイル１の上縁部の重合体３の上端面10に上段タイル１の突起７の下
端を接触させて、壁面15にタイル１を接着し順次上段に積み上げていく。
【００１６】
次に本発明に係るタイルを取付けたタイル壁面の作用について説明する。
施工完了後において、上下タイル１は表面側で目地17を有し、裏面側で突起７を介して
接触状態となっているが、施工後の躯体の動き（層間変位）に対しては、即ち、躯体が動
いて上下タイル１に異常な外力が作用した時には、上下タイル１の接触部位である突起７
が破壊されて、タイル１は壁面15への接着状態を維持する。
又、図４に示す様に、突起７に凹溝９を設けた場合には、層間変位時に凹溝９を設けた
位置の細幅部で突起７が破壊され、タイル１の接着状態を維持する。
【００１７】
次に、図１〜４に示すタイルでは、突起７をタイル１の下縁部に設けた例を示したが、
図５に示す様に、突起７の形成位置をタイル１の上縁部としても良い。
即ち、タイル１の上縁部の重合体３の上端面10から突起７を上方突設しており、該突起
７の上方突設量は、壁面15への接着状態において、間隔Ｔ１だけ一部重合状態となる様に
、段差面６と下端面８の高低差より間隔Ｔ１だけ少量分で突起７を上方突設している。
施工時には、前記のものと同様に、壁面15の表面等に接着剤16を塗着し、下段から上段
にかけてタイル１を壁面15に順着接着するものであり、下段タイル１の上縁部の重合体３
から上方突設した突起７の上端に上段タイル１の下縁部の段差面６を接触させて施工する
。
【００１８】
タイル取付構造にあっては、上下段タイル１における突起７による接触状態が、下段タ
イル１の上縁部の突起７が上段タイル１の下縁部の重合空所５に位置すると共に、下段タ
イル１の突起７の上端が上段タイル１の段差面６に接触している。
全体的には、表裏上下縁部における重合体３、４と重合空所２、５の位置、重合状態は
前記のものと同様で、間隔Ｔ１の一部重合状態と間隔Ｔ２の目地17が形成されている。
又、タイル壁面の作用は前記のものと同様で、層間変位時にも突起７の破壊作用でタイ
ル１の接着状態は維持され、更に、前記のものと同様に、図示していないが突起７に凹溝
９を設けることにより、層間変位への対応力を向上する。
【図面の簡単な説明】
【００１９】
【図１】本発明に係るタイルの裏面斜視図である。
【図２】壁面接着時の断面図である。
【図３】上下段タイルの位置関係を示す拡大部分断面図である。
【図４】突起形状に関する他例を示す拡大部分断面図である。
【図５】突起形成位置に関する他例を示す拡大部分断面図である。
【符号の説明】
【００２０】
１    タイル
２    重合空所
３    重合体
４    重合体
５    重合空所
６    段差面
７    突起
９    凹溝
10    上端面
15    壁面
16    接着剤
17    目地
Ｔ１  間隔
Ｔ２  間隔
【図１】
2005307499.tif 000003
【図２】
2005307499.tif 000004
【図３】
2005307499.tif 000005
【図４】
2005307499.tif 000006
【図５】
2005307499.tif 000007